Podtech/llm-jp-corpus-v4-ja_patent huggingface dataset:
(57)【要約】【課題】底部にオイル溜を有する密閉容器内に、電動機およびこの電動機と連結される圧縮機構部を収容し、上記圧縮機構部で圧縮したガスを一旦密閉容器内に吐出して容器内高圧とする密閉型圧縮機において、圧縮室の部品間での摺動損失によって省エネ性が損なわれる原因となっていた。【解決手段】本発明は、圧縮機構部４を構成するピストン８の側壁部に窪み１４を設けることにより、ピストン８の形状を変えることのみで、ピストン外周部とベーン先端部が断続的に接触するため発生する、運転中のトルク変動を防止し、より高効率で、信頼性の高い密閉型圧縮機を提供するものである。【選択図】図３
2010133317.tif 000002
【特許請求の範囲】
【請求項１】
底部にオイル溜を有する密閉容器内に電動機と圧縮機構部を備えた密閉型圧縮機において、上記圧縮機構部に用いられているピストンが、側壁に窪みを設置した形状であることを特徴とする密閉型圧縮機。
【請求項２】
塩素を含まないＨＣＦＣやＨＦＣ等を冷媒とした請求項１記載の密閉型圧縮機。
【請求項３】
二酸化炭素やアンモニア、ヘリウム等の自然冷媒を冷媒とした請求項１記載の密閉型圧縮機。
【請求項４】
ナフテン油、パラフィン油、アルキルベンゼン油などの天然物あるいは天然物由来のオイル、およびポリエーテル系油、ポリオールエステル系油などの合成オイル、または上記天然物あるいは天然物由来のオイルと合成オイルの混合オイルを使用した請求項１記載の密閉型圧縮機。
【発明の詳細な説明】
【技術分野】
【０００１】
本発明は冷凍サイクルを構成する、密閉型回転式圧縮機に関し、特にそのピストンの形状に関するものである。
【背景技術】
【０００２】
一般的に、密閉型圧縮機の圧縮室はシリンダ、ベーン、上軸受け、下軸受け、ピストンで構成されているが、圧縮機の運転時にはこれらの部品が相互に接触し、摺動する。このとき発生する摺動損失は、圧縮機の効率を低下させる大きな要因のひとつであった。また、潤滑油不足などから、表面磨耗が促進されるという課題があった。そのため特許文献１に示すように、ピストンの側面に放射状方向に延びた凹部を設け、給油量を増加させ機械部の摩耗を促進させないようにしていた。
【０００３】
図４は、特許文献１に記載された従来の圧縮機を示すものである。図４に示すように、ピストン１８の側面に放射状方向に延びた凹部を設けている。
【特許文献１】特開平７−０４２６８４号公報
【発明の開示】
【発明が解決しようとする課題】
【０００４】
従来の方法では、給油量は増加させることができるが、ピストン外周部とベーン先端部が断続的に接触するため、運転中のトルク変動が発生し、運転効率の低下があった。
【０００５】
本発明は上記事情に基づきなされたものであり、その目的とするところは、ピストンの形状を変えることのみで、圧縮機の機能を損なうことなく上記不具合を解決し、より高効率で、信頼性の高い密閉型圧縮機を提供しようとするものである。
【課題を解決するための手段】
【０００６】
上記目的を満足するため、本発明の密閉型圧縮機には、側壁に窪みを設けたピストンを使用する。
【発明の効果】
【０００７】
本発明は上記事情に基づきなされたものであり、その目的とするところは、ピストンの形状を変えることのみで、圧縮機の機能を損なうことなく上記不具合を解決し、より高効率で、信頼性の高い密閉型圧縮機を提供しようとするものである。
【発明を実施するための最良の形態】
【０００８】
（実施の形態１）
本発明における圧縮機の断面図を図１に示す。固定子１と回転子２から構成される電動機には回転軸３が取り付けられ、下部の圧縮機部４と接続されている。圧縮室はシリンダ５、上軸受け６、下軸受け７、ピストン８、ベーン９によって構成されており、上記回転軸３の偏心部１０に挿入されたピストン８が回転して圧縮運動を行う。
【０００９】
圧縮機構部の断面を図２に示す。ピストン８に正接するように設置されたベーン９は、シリンダに設けられたベーン溝１１に挿入されており、回転軸３の回転運動に伴って偏心回転するピストンに追従して往復運動を行う。その作用により、吸入孔１２より圧縮室に流入した冷媒ガスは圧縮され、吐出孔１３より吐出される。
【００１０】
本発明におけるピストンの形状を図３に示す。図３（ａ）はピストンの斜視図、（ｂ）
はＸ部拡大断面図である。ピストンの側壁部に溝１４を設けてある。ベーン９はピストン８に追従して往復運動を行うため、上記側壁は上軸受け６および下軸受け７と接触する。上記ピストンにおいては、側壁の窪み１４によって接触面積を低減しており、摺動による損失を低減することができる。このことにより、省エネ性に優れた圧縮機を構成できる。また、圧縮機の運転中には、上記窪み１４には冷凍機油が滞留するため、軸受け端面との隙間には容易に油膜が形成できる。このことにより、ピストン８と上軸受け６および下軸受け７の端面間での異常磨耗や焼きつき等の不具合を解消でき、信頼性に優れた圧縮機を構成できる。
【００１１】
（実施の形態２）
また、近年オゾン層保護の観点から、塩素を含まないＨＦＣ冷媒を用いた圧縮機が開発されている。当機構を有した圧縮機をこのようなＨＦＣ冷媒に用いることも可能である。
【００１２】
（実施の形態３）
また、近年地球温暖化防止の観点から二酸化炭素、ヘリウム、アンモニア等の自然冷媒を用いた圧縮機が開発されている。そのような自然冷媒を用いた圧縮機に当発明を適用することも可能である。
【００１３】
（実施の形態４）
通常圧縮機には、使用する冷媒や圧縮機構部４に用いられる材質によって様々な種類のオイルが使用されている。当発明は、圧縮機で主に用いられているナフテン油、パラフィン油、アルキルベンゼン油などの天然物あるいは天然物由来のオイル、およびポリエーテル系油、ポリオールエステル系油などの合成オイル、または上記天然物あるいは天然物由来のオイルと合成オイルの混合オイルなどにも適用することが可能である。
【産業上の利用可能性】
【００１４】
以上のように、本発明にかかる密閉型圧縮機は、冷凍サイクルを構成するものであれば、空気調和機ばかりではなく、除湿機などにも適用できる。
【図面の簡単な説明】
【００１５】
【図１】密閉型圧縮機の縦断面図
【図２】実施の形態１における圧縮機構部断面図
【図３】（ａ）実施の形態１におけるピストン斜視図（ｂ）同Ｘ部拡大断面図
【図４】従来の圧縮機を示す斜視図
【符号の説明】
【００１６】
１  固定子
２  回転子
３  回転軸
４  圧縮機部
５  シリンダ
６  上軸受け
７  下軸受け
８  ピストン
９  ベーン
１０  偏心部
１１  ベーン溝
１２  吸入孔
１３  吐出孔
１４  ピストン側壁部窪み
【図１】
2010133317.tif 000003
【図２】
2010133317.tif 000004
【図３】
2010133317.tif 000005
【図４】
2010133317.tif 000006
(57)【要約】【課題】  本発明は、車のナンバープレート盗難防止用ネジを提供する。【解決手段】外形をテーパー状またはＲ部状にした本体（１）を設け、本体（１）の上面に凹部（３）を設け、本体（１）のネジ部（２）に、六角穴付止めネジ（４）を取り付け、本体（１）の上面の凹部（３）にキャップ（５）を取り付けことが特徴の車のナンバープレート盗難防止用ネジ。【選択図】図１
2010133547.tif 000002
【特許請求の範囲】
【請求項１】
（イ）外形をテーパー状またはＲ部状にした本体（１）を設ける。
（ロ）本体（１）の上面に凹部（３）を設ける。
（ハ）本体（１）のネジ部（２）に、六角穴付止めネジ（４）を取り付ける。
（ニ）本体（１）の上面の凹部（３）にキャップ（５）を取り付ける。
以上のように構成された車のナンバープレート盗難防止用ネジ。
【発明の詳細な説明】
【技術分野】
【０００１】  本発明は、車のナンバープレート盗難防止用ネジに関するものである。
【背景技術】
【０００２】  従来、自動車のナンバープレート、アルミホイールなどの部品を車体に固定する場合、ボルト、ナットなどの締め具が一般的に使われていた。
自動車等のナンバープレートは、ボルトで車体に固定されていた。
ところが、最近、駐車中の自動車からナンバープレートを盗む、という犯罪が増えていた。
この犯罪を行なう者は、一般に市販されているドライバ等の器具を使って、ボルトを外し、短時間のうちにナンバープレートを盗んでいた。
このような犯罪を防ぐために、特殊な形状の凹部が形成されているボルトがすでに提案されていた。
ボルトは、凹部に嵌合する凸部を設けた、専用の器具を使った場合だけ、簡単に車体から外せるようになっていた。
ボルトを使って、ナンバープレートを固定した場合でも、ボルトの頭部が露出した状態となっているので、ペンチ、プライヤー等の一般に市販されている工具を使ってボルトを緩めることができ、短時間でナンバープレートを盗むことができた。
本発明は、このようなボルト、ナットを外して行なわれる盗難事件を防ぐことが目的である。
【特許文献１】  特開２００６−１６２０５１
【発明の開示】
【発明が解決しようとする課題】
【０００３】  従来より以下のような問題点があった。
現在、自動車の前部のナンバープレートは、締め具が封印されておらず、簡単の工具で外されていた。
本発明は、以上の問題点を解決するためになされたものである。
【課題を解決するための手段】
【０００４】（イ）外形をテーパー状またはＲ部状にした本体（１）を設ける。
（ロ）本体（１）の上面に凹部（３）を設ける。
（ハ）本体（１）のネジ部（２）に、六角穴付止めネジ（４）を取り付ける。
（ニ）本体（１）の上面の凹部（３）にキャップ（５）を取り付ける。
以上のように構成された車のナンバープレート盗難防止用ネジである。
【発明の効果】
【０００５】  以上説明したように、この車のナンバープレート盗難防止用ネジは、ペンチ等の工具ではつかめないので、ネジを外すことが困難で、ナンバープレートの盗難を防止できる。
【発明を実施するための最良の形態】
【０００８】  本発明を実施するための最良の形態について説明する。
（イ）外形をテーパー状またはＲ部状にした本体（１）を設ける。
（ロ）本体（１）の上面に凹部（３）を設ける。
（ハ）本体（１）のネジ部（２）に、六角穴付止めネジ（４）を取り付ける。
（ニ）本体（１）の上面の凹部（３）にキャップ（５）を取り付ける。
以上のように構成された車のナンバープレート盗難防止用ネジである。
本発明を使うときは、本体のネジ部分に、市販品のネジをねじこみ接着を行う。
市販品のネジの頭の部分とあった工具を使って、ナンバープレート（６）を車のバンパー（７）に止める。
本体の凹部の部分にキャップ（５）を貼り、ネジ部をかくす。
【図面の簡単な説明】
【０００９】
【図１】  本発明の分解した状態を示した説明図である。
【図２】  本発明の分解斜視図である。
【図３】  本発明の斜視図である。
【符号の説明】
【００１０】        １  本体
２  ネジ部
３  凹部
４  六角穴付止めネジ
５  キャップ
６  ナンバープレート
７  バンパー
【手続補正書】
【提出日】平成21年2月4日(2009.2.4)
【手続補正１】
【補正対象書類名】図面
【補正対象項目名】全図
【補正方法】追加
【補正の内容】
【図１】
2010133547.tif 000003
【図２】
2010133547.tif 000004
【図３】
2010133547.tif 000005
(57)【要約】【課題】人体に有益な本発明の機能が世界の開発の集中化による都市においての公害や、植物、農作物の被害の要因にあげられる光合成の両方に関わりそれと共に大量破壊兵器から社会環境を守る事。【解決手段】大気中に不規則に並んだ毎秒単位で降り注ぐ仕事エネルギープラス熱エネルギーを「電気陽子」として、自由落下する爆弾の気道を海面上や河川上から発生される大気中の水蒸気のエアーホールへ自然に導き水中で機能させなくさせる事と同様に大型の建物を標的にしたミサイルや水平射撃は電気陽子により帯電している事と共に不規則に並んでいる物体同士衝突をしりぞけあう。【選択図】なし【特許請求の範囲】
【請求項１】
常時身体をやわらかく包む前日までの大気成分に加え技術者が創る原子核爆弾から身を守り生活空間や大気圏までの活性化をうながす装置。
【発明の詳細な説明】
【技術分野】
【０００１】
本発明は原子爆弾や射撃を無効化する環境作りである。
【背景技術】
【０００２】
空にある雲がなぜ地表面にないのかを考えこの原因は地上の周波が雲を作り出す周波と異なると定義した場合周波数や天然の電気陽子即ち仕事量を持つ上空からのエネルギーが熱を帯びて地表に満ち溢れている環境を利用出来る事も付加機能として有効活用出来る。
【０００３】
この改善策としてエフェクテブテンペレーチャーチューニングシス                  テム装置にも互いに適用出来る共通項即ち周波数同期装置として使える機能が互換出来る。
【特許文献１】特開２００７−８２２９９号公報
【発明の開示】
【発明が解決しようとする課題】
【０００４】
第二次世界大戦末期に日本の広島に投機された大量殺戮兵器は、恐らく大気中に溜まった定格電圧が町や村落にとどまる上へ同じ定格電圧を落とし同一空間同一位置に正確にひずむように落下しその爆発エネルギーから人や町がダメージを負うまでを推測されることが出来る。
【課題を解決するための手段】
【０００５】
絶縁体で作った大きめの木製のあるいはコンクリート製の三角柱か環境に応じた形の箱の中に、電信柱や鉄塔を這う電線から安全な定格電力をひきこみエナメルの単芯線をむき出し（熱を帯び易く冷却しやすくするためあえて）取りつけ絶縁体の箱の開口部から両端の内から外へむけてファンをつけたモーターを据え付けて電界や電界極と電磁極等の人口的に発生させた仕事量と磁性を併せ持つエネルギーを永久に回転させながら排出する。前日までにあった雷雲が停滞することにより地表に届かなかった「電気陽子」（仕事エネルギープラス熱エネルギーの要約）が降り注ぐこととなりこの結果、空中と宇宙空間の境  界まで大量に上昇していく電気陽子と新たにふりそそぐ太陽からの熱射とそれが飛来する事による放射熱で飽和状態となり原子核エネルギー反応というよく言われるように仮定するべき定格電力の拡散と落下が上から下、下から上へ向けて起きるサイクル運動により大気圏外へ向きを変え様々な触媒や中性子爆弾の媒介、空気中の不純物が天然の大気における熱エネルギーと雷のエネルギーが歪まずシャワーのようにふりそそぐ環境と共にサイクル運動内にとりこまれて本来の集中破壊行為が出来なくなる。
【発明の効果】
【０００６】
それまで地球を包んでいた「電気陽子」が大量にふえることにより光合成による植物の生育、生態系の中での魚、鳥の活動、体力の落ちた人の充電が可能になり、又、飛行体が高密度の大気のうえを慣性飛行のほか、天体としての隕石等の大型の飛来物同士は同位元素が異なる上に波長や本発明の副次産物としてのバリヤーにより地表面には固まりが落ちてこないような効果が期待できる。
【発明を実施するための最良の形態】
【０００７】
過去の広島への大量殺戮兵器落下のために生じた地表と大気と大気圏外に通じたおおきな穴が開いたことにより自然にできた大気を清浄化しながら本発明の環境がもう出来上がっていることが当時を物語る資料からも伺える。
鉄塔や高層ビル、電信柱等の上部に取り付けて、本発明の機能によりエフェクティブテンペレーチャーチューニングシステム装置（特開２００７−８２２９９号公報引用）としても使える。
(57)【要約】      （修正有）【課題】ドアに取り付けられた既存の装置を外さずに、既存の錠を電子ロック化する。【解決手段】ドア1に取り付けられた既存の錠２に金具５を取り付け、制御装置７から有線または無線によりモータ４へ開閉指示信号を送ることにより、連結８を介して、既存の錠２の開閉を行う。【選択図】図１
2010133156.tif 000002
【特許請求の範囲】
【請求項１】
既存の装置を外さずに、既存の錠を電子ロック化できることを特徴とするシステム
【発明の詳細な説明】
【技術分野】
【０００１】
本発明は、ドアの施錠に関するものである。
【背景技術】
【０００２】
従来、電子ロックを導入するとき、既存のドアや錠を取り替えて特殊なものにする必要がある。実施方法として、特許文献１と特許文献２がある。しかし、賃貸マンション等では、錠やドアの取り替えは困難である。
【０００３】
また、ドアを取り替えないで電子ロックを導入する場合、既存のドアに取り付ける手法が必要で、主に磁石を利用して金属ドアに取り付ける方法が使われる。磁石が使えない木製等のドアの場合は、ドアを挟むような取り付け方が使われる。しかし、これらのものはドアの内側に取り付ける必要があり、外開きのドアにしか利用できない。
【０００４】
取り付ける方法として、他にはドアに穴を開ける方法があるが、ドアに損傷を与えることになるので好ましくない。
【特許文献１】特開2002-180717 電子ロック装置
【特許文献２】特開平6-193320 電子ロック
【発明の開示】
【発明が解決しようとする課題】
【０００５】
本発明は、既存のドアを取り替えることを必要としない電子ロックシステムである。また、既存のドアを使うので、内開きのドアにも適用できる。
【課題を解決するための手段】
【０００６】
本発明は、前記の課題を解決する手段として、特許請求の範囲の請求項１に記載された方法で考案した。特に、従来技術で対応できないドアにも適用できるものである。
【発明の効果】
【０００７】
従来の電子ロックはドアや錠を取り替える必要があったが、本発明では、既存のドアや錠をそのまま使えることや、従来技術が対応できないドアにも付けることが可能となった。このことは、ドアや錠を取り替える必要性を無くす効果があり、資源の有効利用を可能にする効果がある。また、取り替えることが困難な場合も対応できる。既存のドアや錠に電子ロック機能を付けることが可能となった理由は、小型マイクロコンピュータと錠を開閉する装置の導入である。
【発明を実施するための最良の形態】
【０００８】
既存のドアと錠に開閉装置を設置し、この装置を制御するために有線または無線の回線を準備する。ドアを開閉したいときに、既存の錠を手動で動かすか、制御装置から電子ロックへの信号を送信する
【実施例】
【０００９】
本発明の実施例を以下で詳細に説明するが、本発明の範囲はこれらの実施例に限定されるものではない。図１に実施例１を示す。ドア１の内側に錠２とハンドル３がある。ハンドルを手動で動かすものとし、錠２に本発明を取り付ける。錠２を拡大した様子を図の右側に示す。錠２を動かずために金具５を取り付ける。またこの金具を回すためにモータ４と連結８を用意する。制御装置７は開閉指示を受けると、回線６を通してモータ４に信号を送る。
【図面の簡単な説明】
【００１０】
【図１】本発明の実施例を示す説明図
【符号の説明】
【００１１】
１  ドア
２  錠
３  ドアのハンドル
４  モータ
５  錠を挟む金具
６  回線
７  制御装置
８  モータと金具の連結
【図１】
2010133156.tif 000003
(57)【要約】      （修正有）【課題】迷子(ペット)を発見するための付帯物、防犯機能を提供する。【解決手段】携帯電話のＧＰＳ表示と発信機を使用し、ペットの位置表示を行う。極力本体Ａのサイズ、形状がコンパクトで軽量化できることが必須条件であり、ペット自身が好んで装着する、違和感のない首輪タイプとする。蓄電池の寿命が受信専用でも少なくとも１年は維持できるようにする。加えて、あらゆる衝撃に耐える堅牢さ完全防水装備とする。通信は、１つにつき２００円程度とする。【選択図】図１
2010250783.tif 000002
【特許請求の範囲】
【請求項１】
ペットの位置検索システムのソフトアイデアの範囲。
【請求項２】
ペット専用の携帯電話システムの特性上、防犯機能としての表示法のための鈴に類する音付き機能などのアイデア。
【発明の詳細な説明】
【技術分野】
【０００１】携帯電話のＧＰＳ機能応用のペット専用システム
【背景技術】
【０００２】１人１台の携帯電話の技術をバックボーンとしてこのシステムは成立。加えてＧＰＳ機能の検索技術
【先行技術文献】
【０００３】米国の”ペットセル”が先行中。ただし、日本国内での販売は現在、特許申請なし。今の内に国内申請だけでも可能かどうか、打診が早急にしたし。
【発明が解決しようとする課題】
【０００４】小型、軽量化の問題。
日本では少子化が進行、都会ではペットの小型化が進むため、大型犬向き”ペットセル”は、販売は不可能。この点では、日本独自の技術力でコンパクト化は可能。軽量化も問題なし。
発信する発信機のバッテリー能力の問題。
従来型のものでは、発信機のバッテリー寿命に限界が有り、将来的には新開発のバッテリーが不可欠。１年はもつものでないといけない。
【図面の簡単な説明】
【０００５】
【図１】は、携帯電話からの発信で▲Ａ▼の送受信機が反応し、ＧＰＳ機能応用で、不明のペットの現在位置を表示（ＭＡＰ上に表れ点滅表示）される様子を表示しています。
【図２】は、送受信機の首輪タイプ▲Ａ▼と悪用化防止のために、鈴に類する球体▲Ｂ▼を表しております。
【図１】
2010250783.tif 000003
【図２】
2010250783.tif 000004
(57)【要約】【課題】    従来の診療予約方法では、予約が完了するまでに手間と時間がかかるという問題があった。これは診療予約を行うためには患者が医院の受付に電話をかけるか、医院の受付に出向いて予約の手続きを行わなければならないためである。また、医院の受付においても、診療予約の受け付けには手間と時間がかかるという問題があった。これは患者からの電話または来院患者の予約依頼に逐一対応しなければならないためである。【解決手段】  患者はどの機種の携帯電話を使っても診療予約ができ、いつでもどこからでも診療予約ができるようになり、診療予約にかかる手間と時間を減らすことができる。また、患者の診療予約データはプログラムで自動処理されるため、患者は希望時間での予約の可否をすぐに知ることができる。一方、医院の受付では、患者の診療予約データのプログラムでの自動処理によって診療予約受付業務が軽減できる。【選択図】図２
2010250781.tif 000002
【特許請求の範囲】
【請求項１】
あらゆる携帯電話で利用可能な医院診療予約システム。
【発明の詳細な説明】
【技術分野】
【０００１】  本発明は、医院の診療予約方法に関する。
【背景技術】
【０００２】  以下、図１により従来の患者１の医院での診療予約方法について説明する。
診療予約を行う場合に、患者１は医院２の受付３に電話をかけて予約するか、または医院２の受付３に出向いて予約する。
【発明の概要】
【発明が解決しようとする課題】
【０００３】  従来の診療予約方法では、患者は医院の受付に電話をかけて手続きを行うか、医院の受付に出向いて手続きを行わなければならず、予約が完了するまでに手間と時間がかかる。【０００４】  本発明は、このような従来の診療予約方法が有していた問題を解決しようとするものであり、患者が診療予約にかかる手間と時間の軽減を目的とするものである。
【課題を解決するための手段】
【０００５】患者は、ＦｅｌｉＣａ対応読取機器、ＱＲコードのいずれかで診療予約希望日時を入力するための画面の携帯電話用ホームページアドレスを読み取って、診療予約希望日時入力画面を携帯電話に画面表示するか、携帯電話用ホームページアドレスを直接入力して診療予約希望日時入力画面を携帯電話に表示する。【０００６】表示した入力画面に氏名、予約希望日、予約希望時間を入力してデータを送信する。【０００７】送信後すぐに画面に予約可能日および予約可能時間が表示される。【０００８】画面内の予約ボタンを選択すると受付が完了する。【０００９】医院の受付では、インターネット接続されたパーソナルコンピューターの画面に携帯電話から送信された患者の予約データが一覧表示される。それを閲覧しながら別の画面で、任意の時間帯の予約受付の可否を制御する。
【発明の効果】
【００１０】  上述したように本発明のシステムでは、患者は携帯電話を使って３箇所の必要事項の入力と２つのボタンの選択だけで診療予約ができ、従来の診療予約にかかっていた時間と手間が減少する。【００１１】また、プログラムによって診療希望時間の選択、確定、予約を処理するため、患者は医院の受付に電話をかけたり来院して診療を予約する必要がなくなる。【００１２】携帯電話を使うため、患者はどこからでも診療予約が行える。【００１３】診療予約は、ＦｅｌｉＣａ対応の読取機器からの取得、ＱＲコードからの取得、携帯電話用ホームページアドレスの直接入力による接続によって行えるため、あらゆる携帯電話で本システムが利用できる。【００１４】患者の予約データをプログラムで処理するため、医院の受付における予約受付業務が簡単になる。
【図面の簡単な説明】
【００１５】
【図１】従来の診療予約方法
【図２】本システムの患者側での診療予約方法
【図３】本システムの医院受付側での管理画面
【発明を実施するための形態】
以下、本発明の実施の形態を図２および図３に基づいて説明する。
【実施例１】
【００１６】  図２は、本システムの患者側での診療予約方法を示す。図においては、ＦｅｌｉＣａ対応の読取機器４、ＱＲコード５、携帯電話用ホームページアドレス６、予約希望日時入力画面７、予約可能日時表示／確定画面８、受付完了画面９から構成される。【００１７】  以上のシステムは次のようにして利用する。患者１は、ＦｅｌｉＣａ対応の読取機器４、ＱＲコード５のいずれかによって、予約希望日時入力画面７を携帯電話に表示させるための携帯電話用ホームページアドレスを取得する。【００１８】取得したホームページアドレスまたは携帯電話用ホームページアドレス６の直接入力によってインターネット接続し、予約希望日時入力画面７を表示させる。【００１９】予約希望日時入力画面７のお名前、希望日、希望時間に文字を入力して送信ボタンを選択する。【００２０】その後すぐに画面が切り替わり、予約可能な日時が表示される。【００２１】表示内容を確認して、予約ボタンを選択する。【００２２】確定した予約内容が表示され、受付が完了する。
【実施例２】
【００２３】  図３は、本システムの医院受付側での管理画面を示す。図においては、予約一覧画面１０、受付可否画面１１から構成される。【００２４】  以上のシステムは次のようにして利用する。患者から送信された予約データは、プログラムによって予約一覧画面１０のように一覧表示される。【００２５】任意の時間帯の予約を制御したい場合には、受付可否画面１１によって当該時間の受付可否の欄を可から不可に変更する。【００２６】変更後に患者から当該時間での予約希望データが送信されてくると、当該時間を希望した患者１に対してその時間の予約が不可であること、および予約可能な時間が自動で患者１の携帯電話に瞬時に表示される。
【符号の説明】
【００２７】  １  患者
２  医院
３  受付
４  ＦｅｌｉＣａ対応の読取機器
５  ＱＲコード
６  携帯電話用ホームページアドレス
７  予約希望日時入力画面
８  予約可能日時表示／確定画面
９  受付完了画面
１０  予約一覧画面
１１  受付可否画面
【図１】
2010250781.tif 000003
【図２】
2010250781.tif 000004
【図３】
2010250781.tif 000005
(57)【要約】【課題】看板設置には莫大な費用とプロ職人の腕と数日の日数を要するのが今までの現状でした。【解決手段】看板止め具４により大家所有の土地に大家が設置している自動販売機の重量がかかった自動販売機の足元の部分に無工事にて誰も（大家等）が簡単に看板を設置でき、看板止め具１、２、３により高さ、幅、奥行きの調整を可能とし、どの大きさの自動販売機にも対応できるものとした。【選択図】図１
2010250790.tif 000002
【特許請求の範囲】
【請求項１】
無工事にて自動販売機足元の金具部分に取り付ける事ができることを特徴とする看板金具。
【請求項２】
自動販売機の横幅に対応して伸縮できる上記請求項１記載の看板金具の看板部分。
【請求項３】
自動販売機の横幅、奥行き、高さに対応して伸縮し、どの自動販売機にも対応して設置を可能とする上記請求項１記載の看板金具
【請求項４】
看板部分は、金具・プラスチックの二タイプがあり、いずれも、自動販売機据付金具から取り外し、磁石又は両面テープで自動販売機上部にすえつけることができる。
【発明の詳細な説明】
【技術分野】
【０００１】  この発明は、自動販売機に無工事にて取り付けできる看板金具の形状、機能に関する。
【背景技術】
【０００２】  従来の看板金具の形状、機能は、図２に示すように、形状は本体１のように固定され、設置の際は本体１の足元部分２を固定するのにコンクリートで固めなければならなかった。
【発明の開示】
【発明が解決しようとする課題】
【０００３】しかしながら、以上の技術によれば、工事、工事費用を要し特定業者が設置するのにも数日の日にちを要していた。
そこで、この発明は、無工事にて安価で誰もが短時間で簡単に設置できる看板金具を提供することをを課題とする。
【課題を解決するための手段】
【０００４】  以上の課題を解決するために、第一発明は、金具の足元を、自動販売機を固定する足元の金具に固定することを特徴とする看板金具である。
また、第二発明は、看板部分をスライド式にて、重複部分を調整する事により伸縮自在にて、どの幅の自動販売機にも対応できる事を特徴とする看板金具の看板部分である。第三発明は自動販売機の大きさにかかわらず、幅、奥行き、高さを自由に調整できる看板金具である。第四発明はスライド式で伸縮自在な、金具又はプラスチック製の看板金具の看板部分を看板金具から着脱可能とし磁石又は両面テープにて自動販売機上部に直接すえつけることができることを特徴とする。
【発明の効果】
【０００５】  第一発明によれば看板金具を無工事にて、だれもが短時間で取り付けできるようになります。第二発明、第三発明によれば、自動販売機の大きさにかかわらず、どの幅、奥行き、高さにも対応できるようになります。また第四発明によれば、金具故障時などにも、看板部分を看板金具から着脱し磁石又は両面テープにて自動販売機上部に直接すえつける事により看板の役割を保持することができるようになります。
【発明を実施するための最良の形態】
【０００６】  この発明の一実施形態を、図１に示す。
看板止め具１、２の部分は伸縮性となっており、ねじにて固定するものとする。看板の伸縮部分も看板止め具３のねじにてサイズを調整後固定するものとする。看板止め具４の部分はねじにて収縮する金具にて固定するものとする。【０００７】「実施形態の効果」
この実施形態によれば、看板止め具４の働きで無工事にて看板を設置でき、看板止め具１、２、３の働きによりどの幅、奥行き、高さにも対応できるようになる。【０００８】「他の実施形態」
図１の実施形態では看板止め具１、２の部分を必要としていましたが、飲料自動販売機の高さはほぼ一定ですので、飲料自動販売機にのみ着眼するのならば、看板止め具１、２の部分を削除した形態でもよい。
【図面の簡単な説明】
【０００９】
【図１】この発明の一実施形態を示す斜視図である。
【図２】従来技術を示す斜視図である。
【符号の説明】
【００１０】１  看板止め具（高さ調整）    ２  看板止め具（奥行き調整）
３  看板止め具（幅調整）      ４  看板止め具（看板固定）
【図１】
2010250790.tif 000003
【図２】
2010250790.tif 000004
(57)【要約】【課題】  ＩＣタグと携帯電話を利用した宿泊施設清掃管理システムで、簡素で安価なシステムを提供する。【解決手段】  ＩＣタグリーダーと携帯電話またはＩＣタグリーダー内蔵の携帯電話で宿泊施設の各部屋にあるＩＣタグを読み取り読み取ったデータとＩＣタグリーダーの情報を遠隔地にあるサーバーにインターネットを使用して転送し、管理システム上で清掃の終了した部屋、清掃中の部屋、清掃がされていない部屋の情報が管理システム上で監視する。また、管理システムで各清掃員に次の指示を入力すると、清掃員はＩＣタグを読み取った時点で携帯電話の画面に指示が表示されるため、清掃中に作業を中断すること無く効率的に作業が行える。【選択図】図１
2010250784.tif 000002
【特許請求の範囲】
【請求項１】
旅館もしくはホテル等の宿泊施設で部屋の清掃開始と終了時にＩＣタグリーダーと携帯電話もしくはＩＣタグリーダー内蔵の携帯電話で部屋にあるＩＣタグを読み取り、読み取ったデータを遠隔地にあるデータベースサーバーにインターネットを利用して転送し、部屋の清掃状況をリアルタイムに監視する管理システム。
【請求項２】
部屋の清掃終了時に清掃終了のデータをデータベースサーバーに転送した際、フロント等の事務所からの次の指示が携帯電話の画面に表示される請求項１記載の管理システム。
【発明の詳細な説明】
【技術分野】
【０００１】  本発明は、旅館やホテル等宿泊施設の清掃状況の管理システムに関する。
【背景技術】
【０００２】  従来はハンディターミナルの無線通信によるホテルキーパーシステムがある。また、ドアスイッチを利用した清掃情報信号発生器がある。
【先行技術文献】
【特許文献】
【０００３】
【特許文献１】  特開平８−２８７１４６号公報  上記はハンディターミナルの無線通信によるホテルキーパーシステムである。
本発明と特許文献１との相違は、無線通信のように通信設備は必要とせず、既存のインフラである携帯電話のインターネット通信とＩＣタグを利用することにより安価にしかも簡単に使用することである。
【特許文献２】  特開２００３−２１６７４６号公報  上記は部屋のドアに信号発生器を取り付けて清掃情報を管理するシステムである。
本発明と特許文献２との相違は、各部屋に信号発生器や有線回線を必要とせず、既存のインフラである携帯電話のインターネット通信とＩＣタグを利用することにより安価にしかも簡単に使用することである。
【発明の概要】
【発明が解決しようとする課題】
【０００４】  本発明が解決しようとする課題は、宿泊施設の設備投資を最小限に抑え、清掃状況をリアルタイムにフロント等事務所で捉え、清掃員の配置やお客様の誘導を効率的に行う安価で簡素な管理システムを提供する。
また、清掃員にも簡単に利用できる管理システムを提供する。
【課題を解決するための手段】
【０００５】  上記の課題を解決するために本発明は、携帯電話＋ＩＣタグリーダーまたはＩＣタグリーダー内蔵の携帯電話で宿泊施設の各部屋にあるＩＣタグを読み取り読み取ったデータとＩＣタグリーダーの情報を遠隔地にあるサーバーにインターネットを使用して転送し、管理システム上で清掃の終了した部屋、清掃中の部屋、清掃がされていない部屋の情報が管理システム上で監視する。また、管理システムで各清掃員に次の指示を入力すると、清掃員はＩＣタグを読み取った時点で携帯電話の画面に指示が表示されるため、清掃中に作業を中断すること無く効率的に作業が行える。
【発明の効果】
【０００６】（１）携帯電話のインターネット回線を使用してのデータ転送となり、既存インフラを十分に活用するため、設備投資を軽減できる。
（２）清掃員への指示が作業の合間に確認することができるるため、作業が中断されること無く効率的に指示ができる。
（３）各部屋にはＩＣタグを貼り付けるだけで設置も簡単に行える。
【図面の簡単な説明】
【０００７】
【図１】本発明による宿泊施設清掃管理システムの全体構成図である。
【図２】本発明による清掃時のビジネスフローチャートである。
【発明を実施するための形態】
【０００８】  本発明を実施するための形態を実施例に基づいて説明する。
（１）図１は本発明によるシステムの実施例として宿泊施設清掃管理システムの全体構成図である。
（２）図１の１は本発明で使用する携帯電話＋ＩＣタグリーダーまたはＩＣタグリーダー内蔵の携帯電話、２は清掃開始通信用のＩＣタグ、３は清掃終了通信用のＩＣタグである。４は清掃状況と清掃員への指示データ蓄積用のデータベースサーバーである。
（３）図１の１のＩＣタグリーダーにはインターネットを経由してデータを取得及び蓄積するためのデータ等が予め登録されており、２のＩＣタグには部屋と清掃開始用のデータが、３のＩＣタグには部屋と清掃終了用のデータが予め登録されている。
清掃開始時に２のＩＣタグを１のＩＣタグリーダーで読み込ませ３のサーバーにインターネットを経由してデータを転送する。
（４）転送した情報はデータベースに蓄積され、フロント等事務所では該当部屋の清掃が開始されたことが確認できる。
（５）清掃終了時に３のＩＣタグを１のＩＣタグリーダーで読み込ませ３のサーバーにインターネットを経由してデータを同様に転送する。
（６）同様に情報はデータベースに蓄積され、フロント等事務所では該当部屋の清掃が終了したことが確認できる。
（７）フロント等事務所では清掃員の状況を管理システムで確認し、次の作業指示を管理システムで登録しておくと、３のＩＣタグを読込ませた後に登録された指示内容が清掃員の携帯電話に表示される。
（８）図２は清掃時のビジネスフローチャートである。
【符号の説明】
【０００９】    １    携帯電話＋ＩＣタグリーダーまたはＩＣタグリーダー内蔵の携帯電話
２    清掃開始通信用のＩＣタグ
３    清掃終了通信用のＩＣタグ
４    データベースサーバー
【図１】
2010250784.tif 000003
【図２】
2010250784.tif 000004
(57)【要約】【課題】中古車売買の際に発生する顧客の不透明性且つ、不安部分を取り除く為、従来にはない流通及びシステムを提供すること。【解決手段】中古車個人売買の際に独自のオークションシステムを利用することにより、その中古車両が持つポテンシャルを最大限に引き出し、且つ情報の開示によりユーザーの安心・サティスファクションを獲得する。【選択図】図１
2010250787.tif 000002
【特許請求の範囲】
【請求項１】
個人売買に対するオークションシステム
【発明の詳細な説明】
【技術分野】
【０００１】中古車流通分野
【背景技術】
【０００２】現在、中古車の主な流通として、「売り手→買取専門店、若しくはディーラー→業者オークション→販売店→買い手」という流れが主流となっている。
【発明の概要】
中古車売買に関し、システムを利用することにより、売り手、買い手それぞれの不安部分やストレスなどを軽減、マージンの削減によりＣＳのアップを図る。
【発明が解決しようとする課題】［買取分野］・・・買取店は業者オークション相場にて買取金額を算出する。一般個人ユーザーはオークションデータを見ることが出来ない為、買取店は企業の利益を求め、なるべく安く買おうという努力をしてしまいがち。しかし売り手は適正な価格（相場感）が解らない為、本当の車の価値からほど遠い金額で売ってしまうことがよくある。
［販売分野］・・・車の低価格及び良好な品質が求められている。しかし、現状として、仮に、ある販売店にＡ、Ｂという商品がある場合、見た目は一緒だが内部的な機関等によりそれぞれＡは１００万、Ｂは８０万の価値の場合、販売店はＢの商品を１００万に見せかけて売ってしまう。ということがありがちな業界である。これは、世の中のほとんどの人が車の構造などに精通していないからである。
つまり、買い手側でも本当の車の価値からは程遠いものを買ってしまう。という問題点がある。
［個人売買］
個人売買がやはり中間マージンを削減出来るため、ユーザーのニーズに合った金額での取引が可能だが、点検・整備面での不安やローンなどの融通が難しい。結果従来ある個人間オークションによる、落札も高い金額が付き辛いのが現状。
【課題を解決するための手段】［買取分野］車を売り手から預かる際に最初にどこの買取店よりも高い金額を設定する（弊社では保証金額と呼ぶ）。尚、証金額に関してはいかなる場合もその金額より差し引かれることはない。その後実際に売買された金額と保証金額との差額から媒体の広告料金と整備費用を差し引いてその全て（アップ金額）を売り手に返金する。
［販売分野］・・・出品した価格より価格を下げていくダウンオークションシステムを導入。
【発明の効果】［買取分野］・・・ストレスや不透明な部分が軽減される。何故なら、弊社は必要経費以外は全て返金するので（売り手からは利益をもらっていないので）保証金額を安くつける必要がなくなる。同業他社と同額、もしくは気持ち色をつけた金額を保証すれば売り手側としては最低でもプラスマイナス０、またアップ分を期待できるシステムになっている。
［販売分野］・・・価格が安く品質も良好なものを購入できる。中間マージン削減の為、単純に車体価格も低価格で提供出来る上に通常の流通では、買取店が買い取った際及び、販売店が販売した際に発生する２回の消費税が、弊社の流通だと個人と個人を繋ぐので、消費税が発生しない。
また、品質に関しては整備費用に全て前オーナーアップ分から支払ってもらっている為、弊社では買い手に納車する前に不具合箇所に関しては全て、洗い出しておきたいという気持ちが生まれる。つまり、通常販売店で発生してしまう整備費用を抑えたいという気持ちがなくなる。
上記した様に、買取分野、販売分野共に顧客との利害関係が一致するシステムとなっている。
【図面の簡単な説明】
【図１】現在の中古車業界の流れとＭｏｂｙ  Ｂａｂｙの違い。
【図１】
2010250787.tif 000003
(57)【要約】      （修正有）【課題】カメラ付き携帯電話による撮像対象の品名等の情報システムを提供する。【解決手段】インターネットに接続したカメラ付き携帯電話で撮像した画像を、画像検索サーバーに送信する。画像検索サーバーは、受信した画像から特徴量を抽出し、画像データベースに登録済みの画像から、類似度の高い画像をアクセス者に返信し、対象画像の詳細情報やリンク先を提供する。【選択図】図１
2010250782.tif 000002
【特許請求の範囲】
【請求項１】
カメラ付きで画像送信機能を有する携帯電話と、ネットワークを介して接続された画像検索サーバーと画像データベースを備え、前記携帯電話により撮像された対象物の画像の特徴量を抽出して、画像データベースに登録済みの画像から類似度の高い画像情報を、前記携帯電話に返信することを特徴とする画像検索システム。
【発明の詳細な説明】
【技術分野】
【０００１】本発明は、生物・無生物を問わず、また自然物・人工物を問わずカメラで撮像された物品の名称や属性を、携帯電話からインターネットに接続し、Ｗｅｂサイト上の画像検索データベース内に格納してある画像情報から、携帯電話のモニター上に同品もしくは類似の画像および文字情報を提供するシステムである。
【背景技術】
【０００２】カメラによる撮像画像に対してＷｅｂ上の情報を提供するため、販売物の商品ＵＲＬにアクセスすることが比較的容易になるべく、ＵＲＬ内に格納された商品等の画像を検索し、同ＵＲＬに誘導するシステム等の設定はあった。しかし、いわゆる一般物品の品名や特性等の情報の提供を目的とするシステムはない。【０００３】単に画像のみで、一般物品の情報が得られるシステムは構成、企画されておらず、当然にそのサービスはない。本発明によりサービスが提供されれば、例えば周囲の自然物の理解や確認のみならず、ナビ的情報のあるなしにかかわらず人工物による自己の位置情報等が得られるなど、アクセス者の広範な目的を満たすことができる。【０００４】本発明は、以下に述べるような２つの方式のいずれか、もしくは組み合わせにより目的を達成する。
第一の方式は、撮像画像の特徴量に応じた類似を検出することにより、データベース内の同一もしくは類似画像を検出し、その情報を、携帯電話にリアルタイムに提供することである。
第二の方式としては、撮像画像の情報量や特徴量の解析に不足があるときや、撮像が不足、不可能時を含め、Ｗｅｂサイトのデータベース内の分類に従った区分選択を繰り返すことで、当該物品を選別し、データベースから提供された画像により、確認することで当該物品を特定するものである。【０００５】第一の方式では、データベースに画像を格納するときに複数の画像情報、たとえば形状に関する項目、色彩に関する項目、携帯電話を発信している位置情報を参照する項目、季節・日時に関する項目等々が画像の特性値として入力されてある。これら項目は重み付けされてあり、撮像画像も同時に各項目の特性値と比較検討され、品名等の特定を得る。
一義に特定されない場合は、項目の加重平均値等から類似の複数画像を検出し、携帯電話に画像を提供しアクセス者が選択し特定できるようにする。【０００６】第二の方式では、学術的分類に拘らない直感的に理解しやすい分類項目で、数ステップの選択をする。生物・無生物・人工物等の選択から入って、選択された項目ごとに別種の選択項目が表示され、最終選択画面で画像による確認と特定をする。【０００７】方式の違いは、主として情報検索時間の差、検索精度、提供情報量等に応じて選択もしくは設定する。いずれの方式であれ、また組み合わせ方式による物品の特定であれ、物品特定画面から関連のＷｅｂサイトやＵＲＬへのリンクにより、アクセス者の付加的ないし最終目的情報を得ることが出来る。
たとえば、有毒物の特定から解毒剤の情報へのリンク、食材適否から調理法へのリンク、ランドマークの情報から交通アクセス方法、等々である。
【図面の簡単な説明】
【０００８】
【図１】本発明のカメラ付き携帯電話による撮像対象の品名等の情報提供システムの構成図である。
【図２】携帯電話の画像検索処理のフローチャートである。
【発明を実施するための形態】
【０００９】本発明の実施の形態について、図面を参照して説明する。
図１は、本発明の実施形態であるカメラ付き携帯電話による撮像画像検索システムの構成を示している。携帯電話から送信された画像等はインターネット上にある画像検索サーバーで受信され、方式に応じて画像データベース１（図中で画像ＤＢ１と表記）もしくは画像データベース２（図中で画像ＤＢ２と表記）から検索画像の情報を得る。
データベース１は第一の方式に対応する画像情報が登録されてあり、データベース２は第二の方式に対応する画像情報が登録されている。データベース内の各物品の基本的な画像は共通とできる。データベース１においては、画像ごとにその特性値、すなわち前述のように形状・色彩・季節（日時）等々の解析済み特性値が登録されてあり、データベース２には、主として分類による画像の登録となっている。
分類は複数の方式を採用し、アクセス者の多様な検索スタイルに対応できる。たとえば、人工物については形状および位置情報優先の分類方式、動植物については形状および色彩優先の分類方式等々である。
【００１０】図２に、本発明による携帯電話での画像検索処理のフローチャートを示す。
アクセス者は対象物の画像を携帯電話のカメラで撮影し（Ｓ１０）、画像検索サーバーに送信する（Ｓ１１）。画像検索サーバーは受信の画像から検索対象部分を切り出し、特徴量を抽出する（Ｓ１２）。次にその抽出特徴量の多少の判断により（Ｓ１３）、画像のみの選択で、類似画像の特定ができるデーターベース１（Ｓ１４）か、アクセス者が分類項目の選択をするデータベース２（Ｓ１８）へと分岐する。
データベース１では、類似画像の選択が行われ（Ｓ１５）、少数の選択画像の中から類似度の高い画像からアクセス者に返信する（Ｓ１６）。画像の適合はアクセス者が判断し（Ｓ１７）、不適合と判断されれば次順位の類似度の画像を送信し、適合すれば必要に応じ詳細情報やリンク先のＷｅｂサイトにアクセスできる。
一方、データベース２では分類項目を大まかな分類項目（Ｓ１９）から細分類項目（Ｓ２０）へとアクセス者が順次選択し、データベース１での類似度の高い画像からアクセス者に送信する（Ｓ１６）こととなる。
【図１】
2010250782.tif 000003
【図２】
2010250782.tif 000004
(57)【要約】      （修正有）【課題】伸縮パイプの自在ワンタッチ伸縮装置において、ワンタッチでパイプ伸縮が容易にでき、ロック機能を十分備えた伸縮パイプの自在ワンタッチ伸縮装置を提供する。【解決手段】プッシュボタン１を押すことにより内ロッド５に装着されているガイド受部材８を押し下げ、内パイプ４に装着されたガイド受部を抜き去ることで、ガイド受部に装着されている弾性体Ｂ９が収縮し、外パイプ７の内壁から離脱し内パイプ４長さが調整可能となる。プッシュボタン１を離すことによりボタン保持部２内の弾性体Ａ３が伸びて内ロッド５を上昇させ、ガイド受部材８をガイド部材６に挿入されることにより弾性体Ｂ９を押し広げ、外パイプ７の内壁に圧着され内パイプ４を固定する。【選択図】図１
2010270901.tif 000002
【特許請求の範囲】
【請求項１】
本発明はプッシュボタンを押すことによりガイド部材をガイド受部材から抜き出しガイド受部材に装着された弾性体Ｂを収縮させることにより、内パイプ長さ調整を可能にさせる機構をもった伸縮パイプの自在ワンタッチ伸縮装置。
【請求項２】
プッシュボタンを離すことによりガイド部材がガイド受部材に挿入され、ガイド受部材に装着された弾性体Ｂが外パイプ内壁に圧着され内パイプが固定される機構をもった伸縮パイプの自在ワンタッチ伸縮装置。
【発明の詳細な説明】
【技術分野】
【０００１】本発明はパイプ長短高低を自在にワンタッチで調整できる機能を図った伸縮パプに関するものである。
【背景技術】
【０００２】従来の長短高低調整については内外パイプに設けた孔に外部から位置決めピンを挿入するか、外部に設けた固定つまみを回し、内パイプを圧縮して固定するのが一般的である。【０００３】最近ではワンタッチで押しボタン又はレバーを使って内外パイプのロック又はアンロックの機構を設けたものもある。
【先行技術文献】
【特許文献】
【０００４】
【特許文献１】実用新案登録第３１０９１３５号
【特許文献２】特開平７−３０３５５１
【発明の概要】
【発明が解決しようとする課題】
【０００５】ところが前記の機構では内外パイプの圧着が球又は接触片であるので、接地圧着面積が少なく、圧着力が弱く、重量物に対して耐荷重が低い。
【課題を解決するための手段】
【０００６】請求項１に記載の発明はプッシュボタンを押すことにより内ロッドに装着されているガイド受部材を押し下げることにより内パイプに装着されたガイド受部を抜き去ることで、ガイド受部に装着されている弾性体Ｂが収縮し、外パイプの内壁から離脱し内パイプ長さを調整可能となる。【０００７】請求項２に記載の発明はプッシュボタンを離すことによりボタン保持部内の弾性体Ａが伸びて内ロッドを上昇させ、ガイド受部材をガイド部材に挿入されることにより弾性体Ｂを押し広げ、外パイプの内壁に圧着され内パイプを固定される。
【発明の効果】
【０００８】上述したように本発明の伸縮パイプの自在ワンタッチ伸縮装置は、ワンタッチでパイプ伸縮が容易にでき、なおかつガイド部材、ガイド受部材、弾性体Ｂにより外パイプを強固に拡張圧着するのでロック機能を十分備えた伸縮パイプの自在ワンタッチ伸縮装置を提供できる。
【図面の簡単な説明】
【０００９】
【図１】本発明の実施形態を表わす伸縮パイプ自在ワンタッチ機構断面図（ロック状態）
【図２】本発明の実施形態を表わす伸縮パイプ自在ワンタッチ機構断面図（アンロック状態）
【発明を実施するための形態】
【００１０】以下、本発明の実施の形態を図１〜図２に基づいて説明する。
【実施例】
【００１１】図１，２の部品構成は以下のとおりとなります。
内パイプ４にボタン保持部２とガイド部材６が装着されている。ボタン保持部内２内に弾性体Ａ  ３が装着されている。内ロッド４にプッシュボタン１、連結ピン１０にてガイド受部材８、弾性体Ｂ  ９が外パイプ７に装着されている。【００１２】以下、上記構成の動作を説明する。プッシュボタン１を離すことによりボタン保持部２内の弾性体Ａが伸びる。それにより内ロッド５を上昇させ、ガイド受部材８をガイド部材６に挿入させる。それにより弾性体Ｂ  ９を拡張させ、外パイプ７の内壁に圧着させ、内パイプ４を固定する。【００１３】図２においては、プッシュボタン１を押すことにより、内ロッド５に装着されているガイド受部材８を下げる。それにより内パイプ４に装着されたガイド部材６を抜き去る。それにより弾性体Ｂ  ９を収縮させ、外パイプ７の内壁から離脱させ、内パイプ４を伸縮自在にする。
【産業上の利用可能性】
【００１４】いろいろな伸縮パイプのロック及びアンロックをワンタッチで簡単自在にでき、なおかつロック強度が保持される装置である。
【符号の説明】
【００１５】１  プッシュボタン
２  ボタン保持部
３  弾性体Ａ
４  内パイプ
５  内ロッド
６  ガイド部材
７  外パイプ
８  ガイド受部材
９  弾性体Ｂ
１０  連結ピン
【図１】
2010270901.tif 000003
【図２】
2010270901.tif 000004